(57)【要約】【課題】遊技者が保有する携帯通信端末の機能差を意識させることなく携帯通信端末を用いた認証を行う。【解決手段】認証システムＳは、遊技者の保持する携帯通信端末５０を用いて遊技者を認証する。遊技媒体貸出機１０には、携帯通信端末５０との間で近距離無線通信を行い前記遊技者の認証情報を受信する近距離無線通信部３５と、遊技媒体貸出機１０の近傍を撮影し、携帯通信端末５０に表示された遊技者の認証情報の画像データを取得するカメラ３６と、近距離無線通信部３５を介して携帯通信端末５０から受信した認証情報またはカメラ３６で撮影した認証情報の画像データを認証処理部４６に送信するサーバ通信部３９とを備える。【選択図】図３
2018042781.tif 000002
【特許請求の範囲】
【請求項１】
遊技者の保持する携帯通信端末を用いて前記遊技者を認証する認証システムに用いられる遊技媒体貸出機であって、
前記携帯通信端末との間で近距離無線通信を行い前記遊技者の認証情報を受信する近距離無線通信部と、
前記遊技媒体貸出機の近傍を撮影し、前記携帯通信端末に表示された前記遊技者の認証情報の画像データを取得するカメラと、
前記近距離無線通信部を介して前記携帯通信端末から受信した前記認証情報または前記カメラで撮影した前記認証情報の画像データを認証処理部に送信する送信部と、を備え、
前記認証処理部は、前記認証情報または前記画像データを用いて前記遊技者を認証する、
ことを特徴とする遊技媒体貸出機。
【請求項２】
前記近距離無線通信部の通信可能領域と、前記カメラの撮影領域とが略一致している、
ことを特徴とする請求項１記載の遊技媒体貸出機。
【請求項３】
前記近距離無線通信部と前記カメラとは、同一のケース内に収容され、
前記遊技媒体貸出機は、前記遊技者に向いた筐体正面を有する筐体を有し、
前記ケースは、上方から見て前記遊技機側よりも前記遊技機から離れた側が前記筐体正面から突出した傾斜のケース正面を有し、
前記ケースの内部で前記ケース正面に向けて前記近距離無線通信部のアンテナおよび前記カメラの撮像光学系が配置されている、
ことを特徴とする請求項２記載の遊技媒体貸出機。
【請求項４】
前記ケースは、少なくとも前記ケース正面から内部を視認困難な色で形成されている、
ことを特徴とする請求項３記載の遊技媒体貸出機。
【請求項５】
前記近距離無線通信部は、前記携帯通信端末に内蔵されたＩＣチップと通信して前記ＩＣチップ内に記録された前記認証情報を受信し、
前記カメラは、前記携帯通信端末のディスプレイに表示された図形状コードを撮影する、
ことを特徴とする請求項１から４のいずれか１項記載の遊技媒体貸出機。
【請求項６】
遊技者の保持する携帯通信端末を用いて前記遊技者を認証する認証システムであって、
前記携帯通信端末との間で近距離無線通信を行い前記遊技者の認証情報を受信する近距離無線通信部と、
前記遊技媒体貸出機の近傍を撮影し、前記携帯通信端末に表示された前記遊技者の認証情報の画像データを取得するカメラと、
前記近距離無線通信部を介して前記携帯通信端末から受信した前記認証情報または前記カメラで撮影した前記認証情報の画像データを認証処理部に送信する送信部と、を備える遊技媒体貸出機と、
前記認証情報または前記画像データを用いて前記遊技者を認証する認証処理部と、
を備えることを特徴とする認証システム。
【発明の詳細な説明】
【技術分野】
【０００１】
本発明は、遊技機に併設される遊技媒体貸出機および遊技媒体貸出機を用いた認証システムに関する。
【背景技術】
【０００２】
従来、遊技店には、スロットマシンのような遊技機が複数並べて配置されている。
そして、各遊技機に隣接してメダル（遊技媒体）の払い出しを行なう遊技媒体貸出機が併設されている。
遊技媒体貸出機は、筐体を備え、遊技者が貨幣を貨幣投入口に投入することで、あるいは、所定のカード媒体をカード挿入口に挿入することで、筐体内部の払い出しホッパによりメダルの払い出しを行なう。
このような遊技媒体貸出機の筐体正面にカメラを設け、遊技者の顔認証を行うようにした技術が開示されている（例えば、特許文献１参照）。
また、遊技者が保有する携帯通信端末に内蔵されるＩＣチップと遊技媒体貸出機との間で近距離無線通信を行い、遊技者の認証（会員認証）を行う技術が開示されている（例えば、特許文献２参照）。
【先行技術文献】
【特許文献】
【０００３】
【特許文献１】特開２０１４−２３７７０号公報
【特許文献２】特開２０１５−１０４６０１号公報
【発明の概要】
【発明が解決しようとする課題】
【０００４】
上記特許文献１に記載の顔認証は、例えば会員カードなどを用いた認証と比較して、遊技者の本人認証を行う方法として確実である。一方で、自身の顔にカメラを向けられたり、自身の生体情報を遊技場側に登録されたりするのを好まない遊技者に対しては、適用が難しいという課題がある。
また、上記特許文献２のような近距離無線通信を用いた認証は、遊技者が保有する携帯通信端末が近距離無線通信機能を搭載していなければ使用できないという課題がある。
本発明は、上記事情に鑑みなされたものであり、本発明の目的は、遊技者が保有する携帯通信端末の機能差を意識させることなく携帯通信端末を用いた認証を行うことができる遊技媒体貸出機および認証システムを提供することにある。
【課題を解決するための手段】
【０００５】
上記目的を達成するために、請求項１記載の発明は、遊技者の保持する携帯通信端末を用いて前記遊技者を認証する認証システムに用いられる遊技媒体貸出機であって、前記携帯通信端末との間で近距離無線通信を行い前記遊技者の認証情報を受信する近距離無線通信部と、前記遊技媒体貸出機の近傍を撮影し、前記携帯通信端末に表示された前記遊技者の認証情報の画像データを取得するカメラと、前記近距離無線通信部を介して前記携帯通信端末から受信した前記認証情報または前記カメラで撮影した前記認証情報の画像データを認証処理部に送信する送信部と、を備え、前記認証処理部は、前記認証情報または前記画像データを用いて前記遊技者を認証する、ことを特徴とする。
請求項２記載の発明は、前記近距離無線通信部の通信可能領域と、前記カメラの撮影領域とが略一致している、ことを特徴とする。
請求項３記載の発明は、前記近距離無線通信部と前記カメラとは、同一のケース内に収容され、前記遊技媒体貸出機は、前記遊技者に向いた筐体正面を有する筐体を有し、前記ケースは、上方から見て前記遊技機側よりも前記遊技機から離れた側が前記筐体正面から突出した傾斜のケース正面を有し、前記ケースの内部で前記ケース正面に向けて前記近距離無線通信部のアンテナおよび前記カメラの撮像光学系が配置されている、ことを特徴とする。
請求項４記載の発明は、前記ケースは、少なくとも前記ケース正面から内部を視認困難な色で形成されている、ことを特徴とする。
請求項５記載の発明は、前記近距離無線通信部は、前記携帯通信端末に内蔵されたＩＣチップと通信して前記ＩＣチップ内に記録された前記認証情報を受信し、前記カメラは、前記携帯通信端末のディスプレイに表示された図形状コードを撮影する、ことを特徴とする。
請求項６記載の発明は、遊技者の保持する携帯通信端末を用いて前記遊技者を認証する認証システムであって、前記携帯通信端末との間で近距離無線通信を行い前記遊技者の認証情報を受信する近距離無線通信部と、前記遊技媒体貸出機の近傍を撮影し、前記携帯通信端末に表示された前記遊技者の認証情報の画像データを取得するカメラと、前記近距離無線通信部を介して前記携帯通信端末から受信した前記認証情報または前記カメラで撮影した前記認証情報の画像データを認証処理部に送信する送信部と、を備える遊技媒体貸出機と、前記認証情報または前記画像データを用いて前記遊技者を認証する認証処理部と、を備えることを特徴とする。
【発明の効果】
【０００６】
請求項１および６記載の発明によれば、遊技者の保持する携帯通信端末を用いて遊技者を認証するにあたって、遊技媒体貸出機に近距離無線通信部とカメラとを設けたので、遊技者の保持する携帯通信端末が近距離無線通信に対応しているか否かに関わらず認証を行うことができ、遊技者の利便性を向上させる上で有利となる。
請求項２記載の発明によれば、近距離無線通信部の通信可能領域と、カメラの撮影領域とが略一致しているので、遊技者の保持する携帯通信端末が近距離無線通信に対応しているか否かに関わらず、同様の操作感覚で認証操作を行うことができ、認証時の操作性を向上させる上で有利となる。
請求項３記載の発明によれば、カメラの光軸が遊技機側に傾斜し、遊技者が携帯通信端末をカメラにかざした際に、その表面（ディスプレイ）に対して撮像光学系の光軸を垂直に近づけやすく（画像を撮影しやすく）する上で有利となる。
請求項４記載の発明によれば、遊技者側からカメラを視認しにくくし、遊技者がカメラの存在を気にせずに遊技を行う上で有利となる。
請求項５記載の発明によれば、遊技者の保持する携帯通信端末が近距離無線通信に対応している場合はＩＣチップ内に記録された認証情報を用いて、近距離無線通信に対応していない場合は携帯通信端末のディスプレイに表示された図形状コードを用いて、それぞれ認証処理を行うことができる。
【図面の簡単な説明】
【０００７】
【図１】遊技媒体貸出機１０を含む認証システムＳの構成を示す説明図である。
【図２】（Ａ）は遊技媒体貸出機１０の正面図、（Ｂ）は遊技媒体貸出機１０の側面図である。
【図３】遊技媒体貸出機１０の部分拡大斜視図である。
【発明を実施するための形態】
【０００８】
以下、本発明の実施の形態について添付図面を参照して説明する。
まず、実施の形態にかかる遊技媒体貸出機１０を含む認証システムについて説明する。
図１は、遊技媒体貸出機１０を含む認証システムＳの構成を示す説明図である。
認証システムＳは、遊技媒体貸出機１０およびサーバ４０を備える。
【０００９】
サーバ４０は、例えば遊技店ごと（もしくは同系列の複数の遊技店ごと）に設けられており、遊技店への会員登録を行った遊技者（以下、「会員」という）の情報を保持するとともに、遊技者の保持する携帯通信端末５０を用いて遊技者に対する会員認証を行う。
サーバ４０は、会員登録部４２、会員データベース４４、認証処理部４６を備えている。
会員登録部４２は、会員の登録処理を行う。会員登録を行いたい遊技者は、まず自身が保持する携帯通信端末５０からインターネットなどのネットワークＮＷを介して会員登録部４２に接続する。会員登録部４２への接続は、例えば遊技店における掲示物や配布物に記載されたＱＲコード（登録商標）や二次元コード、バーコードなどを携帯通信端末５０のカメラで読み込み、読み込んだ画像情報を会員登録部４２への接続ＵＲＬに変換することによって行う。
携帯通信端末５０からアクセスを受けた会員登録部４２は、会員登録に際する注意事項（会員規則など）などとともに、会員の氏名や性別などの会員データを入力させる会員情報入力画面を携帯通信端末５０のディスプレイ上に表示させる。会員情報入力画面で入力された会員データが携帯通信端末５０から送信されると、会員登録部４２は、会員データを会員データベース４４に格納するとともに、携帯通信端末５０の保持者が会員であることを示す認証情報を携帯通信端末５０に送信する。なお、送信した認証情報も会員データの一部として記録しておく。
【００１０】
この認証情報には、携帯通信端末５０に内蔵されたＩＣチップ内に記録しておくＩＣチップ用認証情報と、ＱＲコード（登録商標）や二次元コード、バーコードなどの図形状コードである図形状コード認証情報の２種類がある。会員登録部４２は、会員が保持する携帯通信端末５０にＩＣチップが内蔵され、近距離無線通信に対応している場合にはＩＣチップ用認証情報を携帯通信端末５０に送信する。ＩＣチップ用認証情報を受信した携帯通信端末５０は、内蔵のＩＣチップにＩＣチップ用認証情報を記録する。
また、近距離無線通信に対応していない場合には、携帯通信端末５０のディスプレイに表示可能な形式で図形状コード認証情報を送信する。図形状コード認証情報を受信した携帯通信端末５０は、後から図形状コード認証情報を参照可能に保存する。図形状コード認証情報は、例えば携帯通信端末５０のメールアドレスに画像データとして送信してもよいし、携帯通信端末５０のブラウザ上に画像データとして図形状コード認証情報を表示させるＵＲＬを送信してもよい。なお、携帯通信端末５０が近距離無線通信に対応している場合には、ＩＣチップ用認証情報と図形状コード認証情報のいずれを使用するか選択できるようにしてもよい。
会員が保持する携帯通信端末５０が近距離無線通信に対応しているか否かは、例えば通信時に取得する通信先の端末情報から識別してもよいし、会員情報登録時に会員に選択入力させてもよい。
【００１１】
認証処理部４６は、遊技者に対する会員認証処理を行う。認証処理部４６は、遊技媒体貸出機１０のサーバ通信部３９から送信されてきたＩＣチップ用認証情報（遊技者の携帯通信端末５０が近距離無線通信に対応している場合）または図形状コード認証情報の画像データ（遊技者の携帯通信端末５０が近距離無線通信に対応していない場合）が、会員データベース４４に記録された認証情報と一致するか否かを判断する。一致する場合には遊技者が会員と判断し、例えば後述する遊技媒体貸出機１０のタッチパネル式モニタ１８０４に種々の会員用情報を表示させるための制御信号を出力するなどの動作を行う。
【００１２】
遊技媒体貸出機１０は、遊技媒体を用いて遊技を行なう遊技機、例えば、スロットマシン等に併設される装置である。図１では遊技媒体貸出機１０を１つのみ図示しているが、一般に遊技店には複数の遊技媒体貸出機１０が設置されている。
遊技媒体貸出機１０は、近距離無線通信部３５、カメラ３６、サーバ通信部３９（送信部）を備えている。
近距離無線通信部３５は、遊技者が保持する携帯通信端末５０との間で近距離無線通信を行い、遊技者の認証情報を受信する。より詳細には、近距離無線通信部３５は、遊技者の携帯通信端末５０が近距離無線通信に対応している場合に、携帯通信端末５０に内蔵されたＩＣチップと通信してＩＣチップ内に記録された認証情報（ＩＣチップ用認証情報）を受信する。
カメラ３６は、遊技媒体貸出機１０の近傍を撮影し、携帯通信端末５０に表示された遊技者の認証情報の画像データを取得する。より詳細には、カメラ３６は、遊技者の携帯通信端末５０が近距離無線通信に対応していない場合に、携帯通信端末５０のディスプレイに表示された図形状コードを撮影する。
近距離無線通信部３５およびカメラ３６は、例えば遊技媒体貸出機１０を利用する遊技者が変わる場合（例えば後述するカード挿入口１８０２にカードが挿入された場合）に、認証情報を取得し、近距離無線通信部３５またはカメラ３６のいずれかで認証情報が取得され、認証処理部４６における認証が完了した場合には、次回遊技者が変わるまで処理を停止する。これは、例えば遊戯中に誤って他人が自身の携帯通信端末５０を近距離無線通信部３５に近づけた場合などに認証情報を読み取らないためである。
【００１３】
サーバ通信部３９は、請求項における送信部に対応し、近距離無線通信部３５を介して携帯通信端末５０から受信した認証情報またはカメラ３６で撮影した認証情報の画像データをサーバ４０の認証処理部４６に送信する。また、サーバ通信部３９は、認証処理部４６から会員認証の結果および遊技媒体貸出機１０の各部（例えば上述したタッチパネル式モニタ１８０４）への制御信号を受信する。
【００１４】
つぎに、遊技媒体貸出機１０の本体構成について説明する。
図２および図３に示すように、遊技媒体貸出機１０は、筐体１２と、筐体本体１４と、ビルバリユニット１６と、制御部１８と、払い出しホッパ２０と、ノズルシュート２２と、ノズル２４と、計数遊技媒体受け皿２６と、受け皿用蓋２８と、計数ホッパ２１とを含んで構成されている。なお、本実施の形態では、遊技媒体としてメダルを用いる場合について説明する。
【００１５】
筐体本体１４は、縦長直方体形状を呈し、底板１４０２と、底板１４０２の両側から起立する一対の側板１４０４と、側板１４０４の上端を接続する天板１４０６とを含んで中空状に構成されている。
筐体本体１４の正面側の開口である正面開口部１４１０は複数の正面板で閉塞され、筐体正面１４Ａは、複数の正面板で構成されている。
背面側の開口である背面開口部は複数の背面板で閉塞され、これにより筐体１２が構成される。
筐体１２の内部には、上から順番にビルバリユニット１６、制御部１８、払い出しホッパ２０、計数ホッパ２１が収納されている。
筐体正面１４Ａを構成する複数の正面板は、ビルバリユニット用正面板１６Ａ、制御部側正面板１８Ａ、補給扉３０、下部正面板３２を含んで構成されている。
【００１６】
ビルバリユニット１６は、遊技者が投入する貨幣を識別するものであり、正面開口部１４１０のうちビルバリユニット１６の正面側はビルバリユニット用正面板１６Ａで閉塞され、ビルバリユニット用正面板１６Ａには、貨幣を投入する貨幣投入口１６０２が設けられている。
制御部１８は、遊技媒体貸出機１０の各種制御を行なうものである。
制御部１８は、正面開口部１４１０のうち制御部１８の正面側は制御部１８と一体に形成された制御部側正面板１８Ａで閉塞され、制御部側正面板１８Ａには、カード挿入口１８０２、タッチパネル式モニタ１８０４が設けられている。
カード挿入口１８０２には、遊技者又はカード固有の識別情報が記録されたカードが挿入され、制御部１８によってカードの情報の読み取り、書き込みがなされる。なお、サーバ４０の会員データベースに、会員が保有するカードの識別情報等を記録し、カードの使用者がカードの所有者本人であるかを併わせて認証してもよい。
タッチパネル式モニタ１８０４には、払い出したメダル数、獲得したメダル数などの遊技者の遊技状況が制御部１８によって表示される。本実施の形態では、タッチパネル式モニタ１８０４が、遊技者の遊技状況を表示する遊技状況表示部を構成している。
【００１７】
ノズルシュート２２は、払い出しホッパ２０から払い出されたメダルを受け入れてノズル２４に導く部分であり、ノズルシュート２２は、下部正面板３２に一体に形成されている。
ノズル２４は、ノズルシュート２２から導かれたメダルを遊技機の下皿（不図示）に導くものであり、ノズルシュート２２に揺動可能に結合されたノズル本体２４０２と、ノズル本体２４０２の先端に設けられたノズルトップ２４０４とを含んで構成される。
【００１８】
正面開口部１４１０の下部には下部正面板３２が着脱可能に取着されており、補給扉３０で閉塞される正面開口部１４１０の部分の下方から正面開口部１４１０の下端までが下部正面板３２で閉塞される。
計数ホッパ２１は、計数遊技媒体受け皿２６に投入されたメダルの枚数を計数するものであり、メダルの計数結果は制御部１８に伝達される。
下部正面板３２は、筐体１２の内部と反対に位置する正面３２０２を有し、この正面３２０２は筐体１２の正面を構成している。
計数遊技媒体受け皿２６は、下部正面板３２の正面３２０２でノズルシュート２２の上に設けられている。
【００１９】
制御部１８の下方には、メダル（円板状の遊技媒体）補給用の開口部３４が設けられ、開口部３４は、補給扉３０で開閉される。
制御部側正面板１８Ａの下方の正面開口部１４１０には、縦長の矩形状を呈する開口部３４が開設されている。開口部３４は、払い出しホッパ２０にメダルを補充する部分である。
【００２０】
ここで、筐体正面１４Ａには、遊技者が遊技店の会員であるか否かを認証するためのカメラ３６および近距離無線通信部３５が配置されている。
本実施の形態では、カメラ３６および近距離無線通信部３５は同一のケース３８に収容されて制御部側正面板１８Ａの上部に配置され、より詳細には、カメラ３６および近距離無線通信部３５はタッチパネル式モニタ１８０４の上方に設けられている。
ケース３８は、筐体正面１４Ａの幅方向に沿って延在する幅と、上下方向の高さとを有し、ケース３８は、上方から見て遊技機側よりも遊技機から離れた側が筐体正面１４Ａから突出した傾斜のケース正面３８０２を有している。
ケース３８の内部では、ケース正面３８０２側に光軸を向けてカメラ３６の撮像光学系３６０２が配置されている。よって、撮像光学系３６０２の光軸は、遊技機側に傾斜しており、これにより、遊技者が携帯通信端末５０をかざした際に、その表示器の表面（ディスプレイ）に対して撮像光学系３６０２の光軸を垂直に近づけやすく（画像を撮影しやすく）することができる。
また、ケース３８の内部の撮像光学系３６０２の近傍には、近距離無線通信部３５のアンテナ、導光板等がケース正面３８０２を向けて配置されている。ケース正面３８０２のうち、これらの構成部が位置する領域を覆う箇所には、近距離無線通信を示す通信マーク３５０２がプリントされている。
このように、カメラ３６および近距離無線通信部３５を同一のケース３８内に収容することによって、近距離無線通信部３５の通信可能領域と、カメラ３６の撮影領域とを略一致させ、遊技者の保持する携帯通信端末５０のタイプ（近距離無線通信が可能か否か）に関わらず、同じ操作感覚で認証操作を行うことができる。
また、ケース３８は、カメラ３６による撮像が可能な光透過率を有する材料、例えば合成樹脂材料で形成されている。本実施の形態では、ケース３８は少なくとも筐体正面１４Ａ側が内部を視認困難なスモーク色で構成され、遊技者がカメラ３６の存在を煩わしく感じないように図られている。
【００２１】
以上説明したように、実施の形態にかかる認証システムＳは、遊技者の保持する携帯通信端末５０を用いて遊技者を認証するにあたって、遊技媒体貸出機１０に近距離無線通信部３５とカメラ３６とを設けたので、遊技者の保持する携帯通信端末５０が近距離無線通信に対応しているか否かに関わらず認証を行うことができ、遊技者の利便性を向上させる上で有利となる。
すなわち、遊技者の保持する携帯通信端末５０が近距離無線通信に対応している場合はＩＣチップ内に記録された認証情報を用いて、近距離無線通信に対応していない場合は携帯通信端末５０のディスプレイに表示された図形状コードを用いて、それぞれ認証処理を行うことができる。
また、遊技媒体貸出機１０において、近距離無線通信部３５の通信可能領域と、カメラ３６の撮影領域とが略一致しているので、遊技者の保持する携帯通信端末５０が近距離無線通信に対応しているか否かに関わらず、同様の操作感覚で認証操作を行うことができ、認証時の操作性を向上させる上で有利となる。
【００２２】
なお、本実施の形態ではカメラ３６で図形状コードを撮影して認証処理を行うようにしたが、例えばカメラ３６で遊技者の顔を撮影して顔認証を行うようにしてもよい。
また、本実施の形態では通信によって図形状コードを配布するようにしたが、例えば携帯通信端末５０を保持しない会員に対して図形状コードが印刷されたカード等を配布して、このカードをカメラ３６で撮影して認証処理を行ってもよい。
【００２３】
また、本実施の形態では、サーバ４０で認証処理を行うようにしたが、遊技媒体貸出機１０で認証処理を行うようにしてもよい。すなわち、認証処理部４６を遊技媒体貸出機１０に置いてもよい。
【符号の説明】
【００２４】
Ｓ  認証システム
ＮＷ  ネットワーク
１０  遊技媒体貸出機
３５  近距離無線通信部
３６  カメラ
３９  サーバ通信部
４０  サーバ
４２  会員登録部
４４  会員データベース
４６  認証処理部
５０  携帯通信端末
【図１】
2018042781.tif 000003
【図２】
2018042781.tif 000004
【図３】
2018042781.tif 000005